(57)【要約】【課題】セグメントリング構成用の各セグメントを施工現場にてリングへと組立てる際に、各セグメントの接合面の位置合わせを容易にして、組立ての効率化や省力化を図ることのできるセグメントの位置合わせ装置を提供する。【解決手段】互いに係止する係止金具３や係止ボルト４または第一係止爪８や第二係止爪９の構造が簡単な部材をセグメント間接合面２ａに設けて、接合すべき両セグメント２のセグメント間接合面２ａの全面が確実に当面させ、セグメントリングを構成している各セグメント２のセグメント間の目違いや目開きを防止する。【選択図】　　　図１
2004052304.tif 000002
【特許請求の範囲】
【請求項１】
シールドトンネルに用いるセグメントリングを構成する各セグメントのセグメント間接合面の位置合わせ装置であり、
接合すべき一方のセグメントの前記セグメント間接合面において、トンネル軸方向の一方側に埋設している係止金具と、接合すべき他方のセグメントのセグメント間接合面において、トンネル軸方向の一方側に突設している係止ボルトとを備えており、
前記係止金具は、前記一方のセグメントのリング間接合面に開口した挿入用開口部を有すると共に、一方のセグメントのセグメント間接合面に開口したスライド用開口部を有しており、
前記係止ボルトは、その突出端である頭部が、トンネル軸方向への移動で前記挿入用開口部から前記係止金具の内部に入り込んで係止できるように突設しており、
前記係止ボルトが前記係止金具の内部に入り込んでの係止時に、前記各セグメントのトンネル軸方向への移動を阻止して、前記接合すべき両セグメントのセグメント間接合面の全面が確実に当面できるように構成していることを特徴とするセグメントの位置合わせ装置。
【請求項２】
前記係止金具は、前記係止ボルトの頭部が係止する係止面を傾斜面にしていると共に、前記係止ボルトの頭部には、係止金具への係止側にバネ座がねを設けており、前記係止ボルトのトンネル軸方向への移動による係止時に、接合すべき両セグメントのセグメント間接合面を互いに引き付ける引き付け力を発生できるように構成していることを特徴とする請求項１記載のセグメントの位置合わせ装置。
【請求項３】
シールドトンネルに用いるセグメントリングを構成する各セグメントのセグメント間接合面の位置合わせ装置であり、
接合すべき一方のセグメントの前記セグメント間接合面において、トンネル軸方向の一方側に埋設している第一係止爪と、接合すべき他方のセグメントのセグメント間接合面において、トンネル軸方向の一方側に突設している第二係止爪とを備えており、
前記第一係止爪は、前記セグメント間接合面およびリング間接合面に連続して開口した開口部内に設けており、
前記第二係止爪は、その突出端の爪部が、前記リング間接合面の開口から前記開口部の内部に入り込んで前記第一係止爪の係止できるように突設しており、
前記第二係止爪の前記第一係止爪への係止時に、前記各セグメントのトンネル軸方向への移動を阻止して、前記接合すべき両セグメントのセグメント間接合面の全面が確実に当面できるように構成していることを特徴とするセグメントの位置合わせ装置。
【発明の詳細な説明】
【０００１】
【発明の属する技術分野】
この発明は、シールド工法に用いるセグメントリングを構成している各セグメントにおいて、その各セグメントをリングへと組立てる際に、各セグメントの接合面の位置合わせを行う位置合わせ装置に関するものである。
【０００２】
【従来の技術】
セグメントの位置合わせとは、各セグメントがセグメントリングを正確に形成できるように、各セグメントの接合面をその全面がピッタリと一致するように当面させるものである。
【０００３】
そして、この各セグメントの接合面の位置合わせとして、従来では、各セグメントの接合面に設けられているセグメント間継手を利用して、接合面の位置合わせを行っていた。例えば、継手のボルト孔の位置を合わせると共に、そのボルト孔にボルトを挿入することで、接合面の位置合わせを行っていた。
【０００４】
なお、各セグメントの接合面にセグメント間継手がない場合も考えられるが、その場合には、位置合わせを行えるような構造は存在していないことになる。
【０００５】
【発明が解決しようとする課題】
前述した従来の位置合わせでは、ボルト孔の位置合わせ作業およびその確認のために、作業員が狭いスペースに入って、位置合わせの作業を行う必要があった。そのため、従来の位置合わせ作業には、危険が伴うと共に、多くの時間を必要としていた。
【０００６】
なお、各セグメントの接合面にセグメント間継手がない場合は、位置合わせが困難であり、各セグメントの間に目違いや目開きが生じて、セグメントの割れや欠けの原因になっていた。
【０００７】
この発明は前述した事情に鑑みて創案されたもので、その目的はセグメントリング構成用の各セグメントを施工現場にてリングへと組立てる際に、各セグメントの接合面の位置合わせを容易にして、組立ての効率化や省力化を図ることのできるセグメントの位置合わせ装置を提供することにある。
【０００８】
【課題を解決するための手段】
この発明（請求項１記載の発明）の位置合わせ装置では、接合すべき一方のセグメントのセグメント間接合面において、トンネル軸方向の一方側に埋設している係止金具と、接合すべき他方のセグメントのセグメント間接合面において、トンネル軸方向の一方側に突設している係止ボルトとを備えている。
【０００９】
また、係止金具は、一方のセグメントのリング間接合面に開口した挿入用開口部を有すると共に、一方のセグメントのセグメント間接合面に開口したスライド用開口部を有している。
【００１０】
さらに、係止ボルトは、その突出端である頭部が、トンネル軸方向への移動で挿入用開口部から係止金具の内部に入り込んで係止できるように突設している。
【００１１】
そして、係止ボルトが係止金具の内部に入り込んでの係止時に、各セグメントのトンネル軸方向への移動を阻止して、接合すべき両セグメントのセグメント間接合面の全面が確実に当面できるように構成している。
【００１２】
一方、請求項３記載の発明の位置合わせ装置では、接合すべき一方のセグメントのセグメント間接合面において、トンネル軸方向の一方側に埋設している第一係止爪と、接合すべき他方のセグメントのセグメント間接合面において、トンネル軸方向の一方側に突設している第二係止爪とを備えている。
【００１３】
また、第一係止爪は、セグメント間接合面およびリング間接合面に連続して開口した開口部内に設けている。さらに、第二係止爪は、その突出端の爪部が、リング間接合面の開口から開口部の内部に入り込んで第一係止爪の係止できるように突設している。
【００１４】
そして、第二係止爪の第一係止爪への係止時に、各セグメントのトンネル軸方向への移動を阻止して、接合すべき両セグメントのセグメント間接合面の全面が確実に当面できるように構成している。
【００１５】
このようなこの発明（請求項１または請求項３記載の発明）によれば、係止金具や係止ボルトまたは第一係止爪や第二係止爪の構造が簡単な部材をセグメント間接合面に設けるだけで、接合すべき両セグメントのセグメント間接合面の全面が確実に当面できて、セグメントリングを構成している各セグメントのセグメント間の目違いや目開きを防止できる。
【００１６】
この目違いや目開きを防止して減らすことにより、セグメントに生じる割れや欠けの発生を抑制できると共に、目違いや目開きを減らすことにより、これらの現象の修正に掛かる時間がなくなるため工期を短縮できる。
【００１７】
【発明の実施の形態】
以下、この発明のセグメントの位置合わせ装置を、図示する一実施形態によって説明する。
【００１８】
位置合わせ装置１は、シールドトンネルに用いるセグメントリング（図示せず）を構成する各セグメント２のセグメント間接合面２ａの全面が確実に当面できるように、位置合わせするものである。
【００１９】
この発明（請求項１の発明）での位置合わせ装置１は、図１〜図７に示すように、接合すべき一方のセグメント２のセグメント間接合面２ａにおいて、トンネル軸方向の一方側に埋設している係止金具３と、接合すべき他方のセグメント２のセグメント間接合面２ａにおいて、トンネル軸方向の一方側に突設している係止ボルト４とを備えている。
【００２０】
また、係止金具３は、一方のセグメント２のリング間接合面２ｂに開口した挿入用開口部３ａを有すると共に、一方のセグメント２のセグメント間接合面２ａに開口したスライド用開口部３ｂを有している。
【００２１】
さらに、係止ボルト４は、その突出端である頭部４ａが、トンネル軸方向への移動（図６参照）で挿入用開口部３ａから係止金具３の内部に入り込んで係止できるように突設している。
【００２２】
そして、この位置合わせ装置１は、係止ボルト４が係止金具３の内部に入り込んでの係止時に、各セグメント２のトンネル軸方向への移動を阻止して、接合すべき両セグメント２のセグメント間接合面２ａの全面が確実に当面できるように構成している。
【００２３】
この実施形態での係止金具３は、係止ボルト４の頭部４ａが係止する係止面３ｃを傾斜面にしていると共に、この実施形態での係止ボルト４の頭部４ａには、係止金具３への係止側にバネ座金１０を設けている。
【００２４】
そして、この実施形態での位置合わせ装置１は、係止ボルト４のトンネル軸方向への移動による係止時において、接合すべき両セグメント２のセグメント間接合面２ａを互いに引き付ける引き付け力を発生できるように構成している。
【００２５】
この実施形態での係止金具３は、断面略Ｃ字状に形成されており、長手方向の両端に挿入用開口部３ａを有すると共に、この挿入用開口部３ａから挿入された係止ボルト４がトンネル軸方向へ移動できるようにしたスライド用開口部３ｂを有している。
【００２６】
なお、この実施形態での係止金具３は、セグメント２に埋設したインサート金具５に螺合する六角穴付き皿ボルト６によって、セグメント２のセグメント間接合面２ａに形成した開口部７（図７参照）の内部に取付けることで、セグメント２のセグメント間接合面２ａに設けている。
【００２７】
また、この実施形態での係止ボルト４は、セグメント２に埋設したインサート金具５に螺合することにより、セグメント２のセグメント間接合面２ａに設けている。
【００２８】
一方、請求項３の発明の位置合わせ装置１は、図８〜図１２に示すように、接合すべき一方のセグメント２のセグメント間接合面２ａにおいて、トンネル軸方向の一方側に埋設している第一係止爪８と、接合すべき他方のセグメント２のセグメント間接合面２ａにおいて、トンネル軸方向の一方側に突設している第二係止爪９とを備えている。
【００２９】
また、第一係止爪８は、セグメント間接合面２ａおよびリング間接合面２ｂに連続して開口した開口部７内に設けている。さらに、第二係止爪９は、その突出端の爪部が、リング間接合面２ｂの開口から開口部７の内部に入り込んで第一係止爪８に係止できるように突設している。
【００３０】
そして、この位置合わせ装置１は、第二係止爪９の第一係止爪８への係止時に、各セグメント２のトンネル軸方向への移動（図１１参照）を阻止し、接合すべき両セグメント２のセグメント間接合面２ａの全面が確実に当面できるように構成している。
【００３１】
この実施形態での第一係止爪８は、セグメント２に埋設したインサート金具５に螺合することにより、セグメント２のセグメント間接合面２ａに形成した開口部７（図１２参照）の内部に取付けることで、セグメント２のセグメント間接合面２ａに設けている。
【００３２】
この実施形態での第二係止爪９は、セグメント２に埋設したインサート金具５に螺合することで、セグメント２のセグメント間接合面２ａに設けている。
【００３３】
このようなこの発明（請求項１または請求項３記載の発明）によれば、係止金具３や係止ボルト４または第一係止爪８や第二係止爪９の構造が簡単な部材をセグメント間接合面２ａに設けるだけで、接合すべき両グメント２のセグメント間接合面２ａの全面が確実に当面できて、セグメントリングを構成している各セグメント２のセグメント間の目違いや目開きを防止できる。
【００３４】
この目違いや目開きを防止して減らすことにより、セグメント２に生じる割れや欠けの発生を抑制できると共に、目違いや目開きを減らすことにより、これらの現象の修正に掛かる時間がなくなるため工期を短縮できる。
【００３５】
【発明の効果】
この発明によれば、係止金具や係止ボルトまたは第一係止爪や第二係止爪の構造が簡単な部材をセグメント間接合面に設けるだけで、接合すべき両セグメントのセグメント間接合面の全面が確実に当面できて、セグメントリングを構成している各セグメントのセグメント間の目違いや目開きを防止できる。
【００３６】
この目違いや目開きを防止して減らすことにより、セグメントに生じる割れや欠けの発生を抑制できると共に、目違いや目開きを減らすことにより、これらの現象の修正に掛かる時間がなくなるため工期を短縮できる。
【図面の簡単な説明】
【図１】この発明のセグメントの位置合わせ装置を示す概略断面図である。
【図２】この発明の位置合わせ装置を設けたセグメントのセグメント間接合面を示す概略図である。
【図３】この発明の位置合わせ装置を設けたセグメントのセグメント間接合面を示す概略図である。
【図４】図２のＢ部拡大図である。
【図５】図１のＡ−Ａ線拡大断面図である。
【図６】この発明の位置合わせ装置によるセグメント間接合面の位置合わせ状態を示す概略断面図である。
【図７】この発明の位置合わせ装置における係止金具の取付け状態を示す概略斜視図である。
【図８】この発明の別形態の位置合わせ装置を示す概略断面図である。
【図９】この発明の位置合わせ装置を設けたセグメントのセグメント間接合面を示す概略図である。
【図１０】この発明の位置合わせ装置を設けたセグメントのセグメント間接合面を示す概略図である。
【図１１】この発明の位置合わせ装置によるセグメント間接合面の位置合わせ状態を示す概略断面図である。
【図１２】この発明の位置合わせ装置における第一係止爪の取付け状態を示す概略斜視図である。
【符号の説明】
１…位置合わせ装置、２…セグメント、２ａ…セグメント間接合面、２ｂ…リング間接合面、３…係止金具、３ａ…挿入用開口部、３ｂ…スライド用開口部、３ｃ…係止面、４…係止ボルト、４ａ…頭部、５…インサート金具、６…六角穴付き皿ボルト、７…開口部、８…第一係止爪、９…第二係止爪、１０…バネ座金。
【図１】
2004052304.tif 000003
【図２】
2004052304.tif 000004
【図３】
2004052304.tif 000005
【図４】
2004052304.tif 000006
【図５】
2004052304.tif 000007
【図６】
2004052304.tif 000008
【図７】
2004052304.tif 000009
【図８】
2004052304.tif 000010
【図９】
2004052304.tif 000011
【図１０】
2004052304.tif 000012
【図１１】
2004052304.tif 000013
【図１２】
2004052304.tif 000014